(57)【要約】      （修正有）【課題】ローラがディスク外周を挟んで搬送し、回転可能なアームが位置決めをするスロットイン方式において、ローディングモーター１つで８センチと１２センチのディスクを搬送して位置決めするディスク装置を備えた電子機器を得る。【解決手段】第１ベース４１には駆動モータ４２と連動する中継ギア４４と、第２ギア４５と、回動ローラ４６、４７と、第１ギア４８を配置して、この回動ローラ４６、４７と第２ベース５０で支持する固定ローラ５１、５２によりＤＶＤディスクを搬送する。アーム７０が搬送されたＤＶＤディスクの外周縁に接触して後方に押し出される動作でカムアーム７２がスライダ６０のカム溝連結部６５によりスライダ６０を移動させ、ディスク位置決め後にラックギア６１、６２の何れかが第１ギア４８と噛合して駆動モータ４２により回動ローラ４７と固定ローラ５２とアーム７０をＤＶＤディスクの外周縁より離反させる。【選択図】図１
2006185565.tif 000002
【特許請求の範囲】
【請求項１】
ディスク状記録媒体をその直径方向に挟持する一対の回動ローラと固定ローラから成る搬送ローラと、前記回動ローラを回転駆動する駆動モータとを有し、この駆動モータによって前記回動ローラを回転させて当該ディスク状記録媒体をディスク出入口と前記ディスク状記録媒体の記録及び／又は再生するディスク装着部との間に移送すると共に、そのディスク装着部に搬送されたディスク状記録媒体の外周縁と接触してディスク装着部に前記ディスク状記録媒体を位置決めするアームを回動可能に枢着したディスク装置を備えた電子機器であって、前記回動ローラと駆動モータとを支持する第１のベースと、前記固定ローラを支持する第２のベースを設けると共に、前記アームを駆動させるスライダを設け、このスライダに設けたラックギアと噛合する第１のギアと前記回動ローラと一体的に回転する第２のギアと、これら第１及び第２のギアと前記駆動モータの出力軸に設けた駆動ギアとに噛合する複数の中継ギアを前記第１のベースに軸支することによって前記１つの駆動モータによって前記ディスク状記録媒体を搬送する回動ローラの駆動とスライダの駆動を兼用するように構成したことを特徴とするディスク装置を備えた電子機器。
【請求項２】
前記ディスク状記録媒体の異なる径サイズに対応して前記スライダに第１及び第２のラックギアが並設されると共に、前記第１のベースと、前記第２のベースは、前記ディスク出入口からのディスク状記録媒体の挿入動作に連動して互い離反する方向に移動させる連動機構を設けると共に第１及び第２ベース間には、これら第１及び第２ベースが互いに近づく方向に付勢する付勢部材を設け、この付勢部材により前記回動ローラと固定ローラとで前記ディスク状記録媒体を弾性的に挟持するように構成したことを特徴とする請求項１記載のディスク装置を備えた電子機器。
【請求項３】
アームにカムアームを形成すると共に、前記スライダには前記カムアームと係合するカム溝を形成し、回動ローラの回転による前記ディスク状記録媒体の搬送動作に連動して該ディスク状記録媒体が前記アームに接触すると共にアームが移動を開始し、ディスク状記録媒体が前記ディスク装着部まで搬送されると、前記カムアームとカム溝との係合によって前記第１及び第２のラックギアの何れか一方と前記第１のギアとが噛み合いを開始させるように構成すると共に、前記駆動モータによって前記第１及び第２のラックギアの何れか一方と前記第１のギアとの噛み合いによって前記スライダをディスク状記録媒体の搬入方向にスライドさせることによってカム溝と係合するカムアームによって前記アームをディスク状記録媒体から離反する方向に回転駆動させると共に、前記第１及び第２のラックギアは前記ディスク状記録媒体の搬入方向に沿って内側に傾斜するようにして前記スライダのディスク状記録媒体の搬入方向へのスライド動作に連動してディスク状記録媒体を挟持する回動ローラと固定ローラとが前記第１又は第２のラックギアの傾斜に沿ってディスク状記録媒体から離反する方向に移動するように構成したことを特徴とする請求項２記載のディスク装置を備えた電子機器。
【請求項４】
前記カム溝は、カムを案内する第１カム溝を内側に、該第１カム溝と連結する第２カム溝を第１カム溝の外側に形成して前記第１カム溝と第２カム溝を略平行に配置し、前記アームにはディスク外周縁を押圧可能にバネ性を付勢したことを特徴とする請求項３記載のディスク装置を備えた電子機器。
【発明の詳細な説明】
【技術分野】
【０００１】
本発明は、ディスク外周をローラが挟んでディスクを搬送させるスロットイン方式のディスク装置において、ローディングモーター１つで８センチと１２センチのディスクを正確に搬送して位置決めすることが出来るディスク装置を備えた電子機器を提供する。
【背景技術】
【０００２】
従来から、記録媒体であるディスクをディスク装置内に搬送して所定の位置に位置決めし、ターンテーブルに載置する機構については、例えば従来技術として特許文献１の「ディスク記録及び／又は再生装置」などがある。この従来技術によれば、ディスク装置の開口部に配置した一対の回動ローラと固定ローラにより外径が８センチと１２センチのディスクを搬送して、ターンテーブルに載置するための所定位置に位置決めするには、ディスクを搬送する回動ローラを駆動する第１モータと、ディスク位置決めアームをカム機構により駆動させる第２モータが配置され、ディスクの大きさやディスクの位置、アームの回転位置、ラックプレートの前後方向の位置などを検出する複数のセンサスイッチが配置されている。
【０００３】
また、このようなディスクの搬送から位置決め、及びクランプまでを行なう機構については、例えば従来技術として特許文献２の「ディスク装置におけるディスク搬入及びクランプ動作の動力伝達機構」などがある。この従来技術によれば、１２センチのディスクのみに対応する機構とすることで、１個のモータでディスクの搬送からクランプまでの行程動作を駆動している。
【０００４】
【特許文献１】特開２００２−３０４７９８号公報
【特許文献２】特開２００４−１５２３４６号公報
【発明の開示】
【発明が解決しようとする課題】
【０００５】
従来技術において、ディスク装置の開口部に配置した一対の回動ローラと固定ローラによりディスク外周縁に前記一対のローラを当接してディスクを搬送するディスク搬送機構において、大径の１２センチと小径の８センチディスクの両方を搬送するためには、前記ローラがディスク外径の異なるディスク外周縁に当接させるため、前記一対のローラが該ディスクの直径方向に移動可能とするストロークが広く必要であり、前記回動ローラを回転駆動させるモータと前記外径の異なるディスクの外周縁にアームの先端部を当接して位置決めを行なう該アームの揺動を駆動するモータとは、ギアなどの駆動力伝達手段により直結することが困難なため、ディスクを搬送する回動ローラを駆動する第１モータと、ディスク位置決めアームをカム機構により駆動させる第２モータが配置され、ディスクの大きさやディスクの位置、アームの回転位置、ラックプレートの前後方向の位置などを検出する複数のセンサスイッチが配置されていた。または１２センチのディスクのみに対応する機構とすることで、１個のモータでディスクの搬送からクランプまでの行程動作を駆動していた。本発明は、前記従来技術における大径の１２センチと小径の８センチディスクの両方を搬送するためにディスクを搬送する回動ローラを駆動する第１モータと、ディスク位置決めアームをカム機構により駆動させる第２モータの２つのモータを配置する必要はなく、ディスクの大きさやディスクの位置、アームの回転位置、ラックプレートの前後方向の位置などを検出する複数のセンサスイッチの配置も省略可能とし、または１個のモータで大径の１２センチのディスクのみに対応し小径の８センチディスクに対応できない機構であった問題を、簡単なメカ機構により１個のモータで大径の１２センチのディスクと小径の８センチディスクに対応可能としたディスクの搬送からクランプまでの行程動作駆動機構を得るものである。
【課題を解決するための手段】
【０００６】
請求項１のディスク装置を備えた電子機器は、ディスク状記録媒体をその直径方向に挟持する一対の回動ローラと固定ローラから成る搬送ローラと、前記回動ローラを回転駆動する駆動モータとを有し、この駆動モータによって前記回動ローラを回転させて当該ディスク状記録媒体をディスク出入口と前記ディスク状記録媒体の記録及び／又は再生するディスク装着部との間に移送すると共に、そのディスク装着部に搬送されたディスク状記録媒体の外周縁と接触してディスク装着部に前記ディスク状記録媒体を位置決めするアームを回動可能に枢着したディスク装置を備えた電子機器であって、前記回動ローラと駆動モータとを支持する第１のベースと、前記固定ローラを支持する第２のベースを設けると共に、前記アームを駆動させるスライダを設け、このスライダに設けたラックギアと噛合する第１のギアと前記回動ローラと一体的に回転する第２のギアと、これら第１及び第２のギアと前記駆動モータの出力軸に設けた駆動ギアとに噛合する複数の中継ギアを前記第１のベースに軸支することによって前記１つの駆動モータによって前記ディスク状記録媒体を搬送する回動ローラの駆動とスライダの駆動を兼用するように構成したことを特徴とする。
【０００７】
請求項１の構成によれば、ディスク状記録媒体をその直径方向に挟持する一対の回動ローラと固定ローラから成る搬送ローラと、前記回動ローラを回転駆動する駆動モータとを有し、この駆動モータによって前記回動ローラを回転させて当該ディスク状記録媒体をディスク出入口と前記ディスク状記録媒体の記録及び／又は再生するディスク装着部との間に移送すると共に、そのディスク装着部に搬送されたディスク状記録媒体の外周縁と接触してディスク装着部に前記ディスク状記録媒体を位置決めするアームを回動可能に枢着したディスク装置を備えた電子機器であって、前記回動ローラと駆動モータとを支持する第１のベースと、前記固定ローラを支持する第２のベースを設けると共に、前記アームを駆動させるスライダを設け、このスライダに設けたラックギアと噛合する第１のギアと前記回動ローラと一体的に回転する第２のギアと、これら第１及び第２のギアと前記駆動モータの出力軸に設けた駆動ギアとに噛合する複数の中継ギアを前記第１のベースに軸支することによって１つの駆動モータによって前記ディスク状記録媒体を搬送する回動ローラの駆動とスライダの駆動を兼用することが出来、前記第１のベースに配置した1つの駆動モータと、該駆動モータの駆動力を中継する中継ギアと、該中継ギアと噛合する第２のギアとによって前記回動ローラを回転させ、前記第２のベースに支持した固定ローラとによって前記ディスク状記録媒体を挟持しながら装置内に搬送することが出来ると共に、前記第１のベースに配置した1つの駆動モータによる駆動力を前記第２のギアと噛合する第１のギアが前記スライダに設けたラックギアと噛合することにより該スライダを駆動させることが出来る。これにより、兼用する前記１つの駆動モータにより、前記ディスク状記録媒体の搬送と、前記スライダにより前記アームを駆動させて前記ディスク状記録媒体を位置決めさせることが出来る。
【０００８】
請求項２のディスク装置を備えた電子機器は、請求項１記載のディスク装置を備えた電子機器において、前記ディスク状記録媒体の異なる径サイズに対応して前記スライダに第１及び第２のラックギアが並設されると共に、前記第１のベースと、前記第２のベースは、前記ディスク出入口からのディスク状記録媒体の挿入動作に連動して互い離反する方向に移動させる連動機構を設けると共に第１及び第２ベース間には、これら第１及び第２ベースが互いに近づく方向に付勢する付勢部材を設け、この付勢部材により前記回動ローラと固定ローラとで前記ディスク状記録媒体を弾性的に挟持するように構成したことを特徴とする。
【０００９】
請求項２の構成によれば、前記ディスク状記録媒体の異なる径サイズに対応して前記スライダに第１及び第２のラックギアが並設されると共に、前記第１のベースと、前記第２のベースは、前記ディスク出入口からのディスク状記録媒体の挿入動作に連動して互い離反する方向に移動させる連動機構を設けると共に第１及び第２ベース間には、これら第１及び第２ベースが互いに近づく方向に付勢する付勢部材を設け、この付勢部材により前記回動ローラと固定ローラとで前記ディスク状記録媒体を弾性的に挟持するように構成したことにより、前記異なる径サイズのディスク状記録媒体がディスク出入口から挿入されると、前記第１のベースに支持した回動ローラと前記第２のベースに支持した固定ローラとは、互いに離反する方向に移動させる連動機構により、前記異なる径サイズに対応するまで広がり、且つ互いに近づく方向に付勢した前記付勢部材によって前記ディスク状記録媒体を前記回動ローラと固定ローラが弾性的に挟持することが出来る。
【００１０】
請求項３のディスク装置を備えた電子機器は、請求項２記載のディスク装置を備えた電子機器において、アームにカムアームを形成すると共にアームが移動を開始し、前記スライダには前記カムアームと係合するカム溝を形成し、回動ローラの回転による前記ディスク状記録媒体の搬送動作に連動して該ディスク状記録媒体が前記アームに接触すると共に、ディスク状記録媒体が前記ディスク装着部まで搬送されると、前記カムアームとカム溝との係合によって前記第１及び第２のラックギアの何れか一方と前記第１のギアとが噛み合いを開始させるように構成すると共に、前記駆動モータによって前記第１及び第２のラックギアの何れか一方と前記第１のギアとの噛み合いによって前記スライダをディスク状記録媒体の搬入方向にスライドさせることによってカム溝と係合するカムアームによって前記アームをディスク状記録媒体から離反する方向に回転駆動させると共に、前記第１及び第２のラックギアは前記ディスク状記録媒体の搬入方向に沿って内側に傾斜するようにして前記スライダの前方へのスライド動作に連動してディスク状記録媒体を挟持する回動ローラと固定ローラとが前記第１又は第２のラックギアの傾斜に沿ってアームをディスク状記録媒体から離反する方向に移動するように構成したことを特徴とする。
【００１１】
請求項３の構成によれば、アームにカムアームを形成すると共に、前記スライダには前記カムアームと係合するカム溝を形成し、回動ローラの回転による前記ディスク状記録媒体の搬送動作に連動して該ディスク状記録媒体が前記アームに接触すると共にアームが移動を開始し、ディスク状記録媒体が前記ディスク装着部まで搬送されると、前記カムアームとカム溝との係合によって前記第１及び第２のラックギアの何れか一方と前記第１のギアとが噛み合いを開始させるように構成すると共に、前記駆動モータによって前記第１及び第２のラックギアの何れか一方と前記第１のギアとの噛み合いによって前記スライダをディスク状記録媒体の搬入方向にスライドさせることによってカム溝と係合するカムアームによって前記アームをディスク状記録媒体から離反する方向に回転駆動させると共に、前記第１及び第２のラックギアは前記ディスク状記録媒体の搬入方向に沿って内側に傾斜するようにして前記スライダのディスク状記録媒体の搬入方向へのスライド動作に連動してディスク状記録媒体を挟持する回動ローラと固定ローラとが前記第１又は第２のラックギアの傾斜に沿ってディスク状記録媒体から離反する方向に移動するように構成したことにより、アームに形成したカムアームと、スライダに形成したカム溝を係合させ、回動ローラの回転による前記ディスク状記録媒体の搬送動作に連動して該ディスク状記録媒体が前記アームに接触し、更にディスク状記録媒体が前記ディスク装着部まで搬送される。これにより前記カムアームとカム溝との係合によって前記第１及び第２のラックギアの何れか一方と前記第１のギアとの噛み合いを開始させ、前記駆動モータにより前記スライダをディスク状記録媒体の搬入方向にスライドさせることによってカム溝と係合するカムアームによって前記アームを回転駆動させてディスク状記録媒体から離反させることが出来る。また、前記第１又は第２のラックギアは前記ディスク状記録媒体の搬入方向に沿って内側に傾斜するようにして前記スライダのディスク状記録媒体の搬入方向へのスライド動作に連動してディスク状記録媒体を挟持する回動ローラと固定ローラとを前記第１又は第２のラックギアの傾斜に沿って移動させることによりディスク状記録媒体から離反させることが出来る。
【００１２】
請求項４のディスク装置を備えた電子機器は、請求項３記載のディスク装置を備えた電子機器において、前記カム溝は、カムを案内する第１カム溝を内側に、該第１カム溝と連結する第２カム溝を第１カム溝の外側に形成して前記第１カム溝と第２カム溝を略平行に配置し、前記アームにはディスク外周縁を押圧可能にバネ性を付勢したことを特徴とする。
【００１３】
請求項４の構成によれば、前記カム溝は、カムを案内する第１カム溝を内側に、該第１カム溝と連結する第２カム溝を第１カム溝の外側に形成して前記第１カム溝と第２カム溝を略平行に配置し、前記アームにはディスク外周縁を押圧可能にバネ性を付勢したことにより、前記第１カム溝と第２カム溝により前記異なる径サイズのディスク状記録媒体を位置決めすることが出来ると共に、前記アームは弾性的に前記ディスク状記録媒体の外周縁に接触させることが出来る。
【発明の効果】
【００１４】
請求項１の発明によれば、このディスク装置を備えた電子機器には、ディスク状記録媒体をその直径方向に挟持する一対の回動ローラと固定ローラから成る搬送ローラと、前記回動ローラを回転駆動する駆動モータとを有し、この駆動モータによって前記回動ローラを回転させて当該ディスク状記録媒体をディスク出入口と前記ディスク状記録媒体の記録及び／又は再生するディスク装着部との間に移送すると共に、そのディスク装着部に搬送されたディスク状記録媒体の外周縁と接触してディスク装着部に前記ディスク状記録媒体を位置決めするアームを回動可能に枢着したディスク装置を備えた電子機器であって、前記回動ローラと駆動モータとを支持する第１のベースと、前記固定ローラを支持する第２のベースを設けると共に、前記アームを駆動させるスライダを設け、このスライダに設けたラックギアと噛合する第１のギアと前記回動ローラと一体的に回転する第２のギアと、これら第１及び第２のギアと前記駆動モータの出力軸に設けた駆動ギアとに噛合する複数の中継ギアを前記第１のベースに軸支することによって前記１つの駆動モータによって前記ディスク状記録媒体を搬送する回動ローラの駆動とスライダの駆動を兼用するように構成したことにより、前記第１のベースに配置した1つの駆動モータと、該駆動モータの駆動力を中継する中継ギアと、該中継ギアと噛合する第２のギアとによって前記回動ローラを回転させ、前記第２のベースに支持した固定ローラとによって前記ディスク状記録媒体を挟持しながら装置内に搬送することが出来ると共に、前記第１のベースに配置した1つの駆動モータによる駆動力を前記第２のギアと噛合する第１のギアが前記スライダに設けたラックギアと噛合することにより該スライダを駆動させることが出来る。これにより、兼用する１つの駆動モータにより、前記ディスク状記録媒体の搬送と、前記スライダにより前記アームを駆動させて前記ディスク状記録媒体を位置決めさせることが出来る。
【００１５】
請求項２の発明によれば、前記ディスク状記録媒体の異なる径サイズに対応して前記スライダに第１及び第２のラックギアが並設されると共に、前記第１のベースと、前記第２のベースは、前記ディスク出入口からのディスク状記録媒体の挿入動作に連動して互い離反する方向に移動させる連動機構を設けると共に第１及び第２ベース間には、これら第１及び第２ベースが互いに近づく方向に付勢する付勢部材を設け、この付勢部材により前記回動ローラと固定ローラとで前記ディスク状記録媒体を弾性的に挟持するように構成したことにより、前記異なる径サイズのディスク状記録媒体がディスク出入口から挿入されると、前記第１のベースに支持した回動ローラと前記第２のベースに支持した固定ローラとは、互いに離反する方向に移動させる連動機構により、前記異なる径サイズに対応するまで広がり、且つ互いに近づく方向に付勢した前記付勢部材によって前記ディスク状記録媒体を前記回動ローラと固定ローラが弾性的に挟持することが出来るので、前記異なる径サイズのディスク状記録媒体を安定して挟持して搬送することが出来る。
【００１６】
請求項３の発明によれば、アームにカムアームを形成すると共に、前記スライダには前記カムアームと係合するカム溝を形成し、回動ローラの回転による前記ディスク状記録媒体の搬送動作に連動して該ディスク状記録媒体が前記アームに接触すると共にアームが移動を開始し、ディスク状記録媒体が前記ディスク装着部まで搬送されると、前記カムアームとカム溝との係合によって前記第１及び第２のラックギアの何れか一方と前記第１のギアとが噛み合いを開始させるように構成すると共に、前記駆動モータによって前記第１及び第２のラックギアの何れか一方と前記第１のギアとの噛み合いによって前記スライダをディスク状記録媒体の搬入方向にスライドさせることによってカム溝と係合するカムアームによって前記アームをディスク状記録媒体から離反する方向に回転駆動させると共に、前記第１及び第２のラックギアは前記ディスク状記録媒体の搬入方向に沿って内側に傾斜するようにして前記スライダのディスク状記録媒体の搬入方向へのスライド動作に連動してディスク状記録媒体を挟持する回動ローラと固定ローラとが前記第１又は第２のラックギアの傾斜に沿ってディスク状記録媒体から離反する方向に移動するように構成したことにより、アームに形成したカムアームと、スライダに形成したカム溝を係合させ、回動ローラの回転による前記ディスク状記録媒体の搬送動作に連動して該ディスク状記録媒体が前記アームに接触し、更にディスク状記録媒体が前記ディスク装着部まで搬送される。これにより前記カムアームとカム溝との係合によって前記第１及び第２のラックギアの何れか一方と前記第１のギアと噛み合いを開始させ、前記駆動モータにより前記スライダをディスク状記録媒体の搬入方向にスライドさせることによってカム溝と係合するカムアームによって前記アームを回転駆動させてディスク状記録媒体から離反させることが出来る。また、前記第１又は第２のラックギアは前記ディスク状記録媒体の搬入方向に沿って内側に傾斜するようにして前記スライダのディスク状記録媒体の搬入方向へのスライド動作に連動してディスク状記録媒体を挟持する回動ローラと固定ローラとを前記第１又は第２のラックギアの傾斜に沿って移動させることによりディスク状記録媒体から離反させることが出来るので、該ディスク状記録媒体を前記ディスク装着部に位置決めされた後は前記アームと回動ローラと固定ローラが前記ディスク状記録媒体から離反するので、前記ディスク状記録媒体を前記ディスク装着部において回転させながら情報の記録又は再生を行なうことが出来る。
【００１７】
請求項４の発明によれば、前記カム溝は、カムを案内する第１カム溝を内側に、該第１カム溝と連結する第２カム溝を第１カム溝の外側に形成して前記第１カム溝と第２カム溝を略平行に配置し、前記アームにはディスク外周縁を押圧可能にバネ性を付勢したことにより、前記第１カム溝と第２カム溝により前記異なる径サイズのディスク状記録媒体を位置決めすることが出来ると共に、前記アームは弾性的に前記ディスク状記録媒体の外周縁に接触させることが出来るので、前記異なる径サイズのディスク状記録媒体を安定して位置決めして搬送することが出来る。更に本発明によれば簡単なメカ機構により異なる径サイズのディスク状記録媒体に対応することが出来るので、従来のように複数のモータやセンサを用いる必要がなく、構造を簡略化することによりコストを低減させることが出来る。
【発明を実施するための最良の形態】
【００１８】
本発明は、ディスク外周をローラが挟んでディスクを搬送させるスロットイン方式のディスク装置において、８センチと１２センチのディスクを正確に搬送して位置決めすることが出来るディスク装置を備えた電子機器を得るものであるが、以下の実施例の説明においては、特に８センチのディスクと１２センチのディスクをローディングモーター１つで駆動して搬送と位置決めを行なうことが出来るディスク装置を備えた電子機器を得る実施例について説明する。
【００１９】
以下、本発明を実施するための最良の形態としての実施例を図１から図１７により以下に説明する。もちろん、本発明は、その発明の趣旨に反さない範囲で、実施例において説明した以外のものに対しても容易に適用可能なことは説明を要するまでもない。
【００２０】
図１及び図２は本発明の実施例１を示すテレビに内蔵されたＤＶＤディスクのローディング機構の概略構成を示す平面透視図と正面側断面図である。図３から図６は本発明におけるトラバースユニットの動作を示す平面透視図と正面側透視図である。図７から図１１は本発明における８センチのＤＶＤディスクを挿入したときの動作を示す平面透視図であり、図１２から図１６は本発明の実施例２を示すもので、実施例１と同じ装置に１２センチのＤＶＤディスクを挿入したときの動作を示す平面透視図である。図１７は本発明におけるＤＶＤディスク装置を内蔵したテレビを示す斜視図である。
【実施例１】
【００２１】
図１７により、ＤＶＤディスクを内蔵したテレビの概略構成について説明する。図１７において、テレビ１０の前面１１には表示部１３が配置され、その側面１２にはＤＶＤ装置３０のディスク出入口１５が配置され、ＤＶＤディスク２０が挿入されようとしている。このテレビ１０に配置されたディスク装置３０は一般にスロットイン方式と呼ばれる回動ローラと固定ローラにより前記ＤＶＤディスクが装置内に搬送されるタイプのディスク装置を示している。
【００２２】
次に図１と図２により本実施例におけるＤＶＤ装置の概略の構成について説明する。図１はテレビに内蔵されたＤＶＤディスクのローディング機構の概略構成を示す平面透視図であり、図２はＤＶＤディスクのローディング機構の概略構成を示す正面側断面図である。このＤＶＤディスク装置３０には、ディスク状記録媒体であるＤＶＤディスク２０をその直径方向に挟持する搬送ローラを構成する一対の第１回動ローラ４６と第２回動ローラ４７及び第１固定ローラ５１と第２固定ローラ５２が配置され、前記第１回動ローラ４６と第２回動ローラ４７を回転駆動する駆動モータ４２とを有し、この駆動モータ４２によって前記第１回動ローラ４６と第２回動ローラ４７を回転させてＤＶＤディスク２０をディスク出入口１５から前記ＤＶＤディスク２０の記録又は再生を行なう図１０と図１５に示すディスクが位置決めされる位置であるディスク装着部までの間を移送すると共に、そのディスク装着部に搬送されたＤＶＤディスク２０の外周縁２１と接触して前記ディスク装着部に前記ＤＶＤディスク２０を位置決めするアーム７０を回動軸７１により回動可能に枢着したＤＶＤディスク装置３０を備えたテレビ１０であって、前記回動ローラ４６、４７と駆動モータ４２による駆動手段とを支持する第１ベース４１と、前記固定ローラ５１、５２を支持する第２ベース５０を設けると共に、前記アーム７０を駆動させるスライダ６０を設け、このスライダ６０に設けた第１ラックギア６１及び第２ラックギア６２と噛合する第１ギア４８と、前記回動ローラ４６、４７と一体的に回転する第２ギア４５と、これら第１ギア４８及び第２ギア４５と前記駆動モータ４２の出力軸に設けたウオームギアである駆動ギア４３とに噛合する多段に形成した中継ギア４４とを前記第１ベース４１に軸支することによって、１つの駆動モータ４２を用いて前記ＤＶＤディスク２０を搬送する回動ローラ４６、４７の駆動とスライダ６０の駆動を兼用することが出来、前記第１ベース４１に配置した1つの駆動モータ４２と、該駆動モータ４２の駆動力を中継する中継ギア４４と、該中継ギア４４と噛合する第２ギア４５とによって前記回動ローラ４６、４７を回転させ、前記第２ベース５０に支持した固定ローラ５１、５２とによって前記ＤＶＤディスク２０を挟持しながらＤＶＤディスク装置３０内に搬送することが出来ると共に、前記第１ベース４１に配置した1つの駆動モータ４２による駆動力を前記第２ギア４５と噛合する第１ギア４８が前記スライダ６０に設けた第１ラックギア６１又は第２ラックギア６２と噛合することにより該スライダ６０を駆動させることが出来る。これにより、兼用する前記１つの駆動モータ４２により、前記ＤＶＤディスク２０の搬送と、前記スライダ６０により前記アーム７０を駆動させて前記ＤＶＤディスク２０を位置決めさせることが出来る。
【００２３】
前記ＤＶＤディスク２０で８センチディスク２０ａ及び１２センチディスク２０ｂと異なる径サイズに対応して前記スライダ６０に第１ラックギア６１及び第２ラックギア６２が並設されると共に、前記第１ベース４１と前記第２ベース５０は、前記ディスク出入口１５からのＤＶＤディスク２０ａ、２０ｂの挿入動作に連動して互い離反する方向に移動させる連動機構である第１ベース４１に形成した第３ラックギア４９と、第２ベース５０に形成した第４ラックギア５３と、前記第３ラックギア４９及び第４ラックギア５３と噛合するピニオンギア４０を設けると共に第１ベース４１及び第２ベース５０間には、これら第１ベース４１及び第２ベース５０が互いに近づく方向に付勢する付勢部材の第１スプリング５５を設け、この第１スプリング５５により前記回動ローラ４６、４７と固定ローラ５１、５２とで前記ＤＶＤディスク２０を弾性的に挟持するように構成したことにより、前記８センチディスク２０ａ及び１２センチディスク２０ｂと異なる径サイズのＤＶＤディスク２０がディスク出入口１５から挿入されると、前記第１ベース４１に支持した回動ローラ４６、４７と前記第２ベース５０に支持した固定ローラ５１、５２とは、互いに離反する方向に移動させる前記連動機構により、前記異なる径サイズの８センチディスク２０ａ及び１２センチディスク２０ｂに対応するまで広がり、且つ互いに近づく方向に付勢した前記第１スプリング５５による付勢部材によって前記ＤＶＤディスク２０ａ、２０ｂを前記回動ローラ４６、４７と固定ローラ５１、５２が弾性的に挟持することが出来るので、前記８センチディスク２０ａ及び１２センチディスク２０ｂと異なる径サイズのＤＶＤディスク２０ａ、２０ｂを安定して挟持して搬送することが出来る。
【００２４】
また、アーム７０にカムアーム７２を形成すると共に、前記スライダ６０には前記カムアーム７２と係合するカム溝６３、６４を形成し、回動ローラ４６、４７の回転による前記ＤＶＤディスク２０の搬送動作に連動して該ＤＶＤディスク２０が前記アーム７０の先端７３に接触すると共にアーム７０が移動を開始し、ＤＶＤディスク２０が図１０、図１５に示すディスクが位置決めされた位置であるディスク装着部まで搬送されると、前記カムアーム７２とカム溝６３、６４との係合によって前記第１ラックギア６１及び第２ラックギア６２の何れか一方と前記第１ギア４８とが噛み合いを開始させるように構成すると共に、前記駆動モータ４２によって前記第１ラックギア６１及び第２ラックギア６２の何れか一方と前記第１ギア４８との噛み合いによって前記スライダ６０をＤＶＤディスク２０の搬入方向にスライドさせることによってカム溝６３、６４と係合するカムアーム７２によって前記アーム７０をＤＶＤディスク２０から離反する方向に回転駆動させると共に、前記第１ラックギア６１及び第２のラックギア６２は前記ＤＶＤディスク２０の搬入方向に沿って内側に傾斜するようにして前記スライダ６０のＤＶＤディスク２０の搬入方向へのスライド動作に連動してＤＶＤディスク２０を挟持する回動ローラ４６、４７と固定ローラ５１、５２とが前記第１ラックギア６１又は第２ラックギア６２の傾斜に沿ってＤＶＤディスク２０から離反する方向に移動するように構成したことにより、アーム７０に形成したカムアーム７２と、スライダ６０に形成したカム溝６３、６４を係合させ、回動ローラ４６、４７の回転による前記ＤＶＤディスク２０の搬送動作に連動して該ＤＶＤディスク２０が前記アーム７０に接触し、更にＤＶＤディスク２０が前記ディスク装着部まで搬送される。これにより前記カムアーム７２とカム溝６３、６４との係合によって前記第１ラックギア６１及び第２ラックギア６２の何れか一方と前記第１ギア４８と噛み合いを開始させ、前記駆動モータ４２により前記スライダ６０をＤＶＤディスク２０の搬入方向にスライドさせることによってカム溝６３、６４と係合するカムアーム７２によって前記アーム７０を回転駆動させてＤＶＤディスク２０から離反させることが出来る。また、前記第１ラックギア６１又は第２ラックギア６２は前記ＤＶＤディスク２０の搬入方向に沿って内側に傾斜するようにして前記スライダ６０のＤＶＤディスク２０の搬入方向へのスライド動作に連動してＤＶＤディスク２０を挟持する回動ローラ４６、４７と固定ローラ５１、５２とを前記第１ラックギア６１又は第２ラックギア６２の傾斜に沿って移動させることによりＤＶＤディスク２０から離反させることが出来るので、該ＤＶＤディスク２０を前記ディスク装着部に位置決めした後は前記アーム７０と回動ローラ４６、４７と固定ローラ５１、５２が前記ＤＶＤディスク２０から離反することにより、前記ＤＶＤディスク装置３０は前記ＤＶＤディスク２０を前記ディスク装着部にて回転させながら情報の記録又は再生を行なうことが出来る。
【００２５】
前記カム溝６３、６４は、カムアーム７２を案内する第１カム溝６３を内側に、該第１カム溝６３と連結する第２カム溝６４を第１カム溝６３の外側に形成して前記第１カム溝６３と第２カム溝６４を略平行に配置し、前記アーム７０にはディスク外周縁２１を第２スプリング８０により押圧可能にバネ性を付勢したことにより、前記第１カム溝６３と第２カム溝６４により前記異なる径サイズのＤＶＤディスク２０ａ、２０ｂを位置決めすることが出来ると共に、前記アーム先端７３は弾性的に前記ＤＶＤディスク２０ａ、２０ｂの外周縁２１に接触させることが出来るので前記異なる径サイズのＤＶＤディスク２０ａ、２０ｂを安定して位置決めして搬送することが出来る。更に本実施例によれば簡単なメカ機構により異なる径サイズのＤＶＤディスク２０ａ、２０ｂに対応することが出来るので、従来のように複数のモータやセンサを用いる必要がなく、構造を簡略化することによりコストを低減させることが出来る。
【００２６】
続いて図３から図６によりＤＶＤディスク装置３０におけるスライダ６０の摺動動作に伴ってＤＶＤディスク２０を載置して回転させるターンテーブル３４や、前記ＤＶＤディスク２０に情報の記録又は再生を行なうピックアップユニット３３を配置したトラバースユニット３１を昇降動させる機構と動作について説明する。このトラバースユニット３１は緩衝材３５を支点として図３及び図４に示すＤＶＤディスク２０の出入り口１５方向に傾斜した傾斜状態と、図５及び図６に示すＤＶＤディスク２０が水平となる水平状態との昇降動を可能としており、図１で示した前記回動ローラ４６、４７と固定ローラ５１、５２とによりＤＶＤディスク２０をＤＶＤディスク装置３０に搬送する際の障害とならないようにトラバースユニット３１を傾斜させてターンテーブル３４を退避させ、ＤＶＤディスク２０が搬送され位置決めされた後はトラバースユニット３１を水平状態にしてＤＶＤディスク２０をターンテーブル３４に載置してピックアップユニット３３によりＤＶＤディスク２０に情報の記録又は再生を行なうことを可能としている。
【００２７】
次にこのトラバースユニット３１を昇降動させる機構と詳細の動作について説明する。トラバースユニット３１の側面には突起部３２が形成されており、スライダ６０の側面に形成した第３カム溝６６と前記トラバースユニット３１の突起部３２が嵌合し、スライダ６０の摺動動作に伴って前記第３カム溝６６の傾斜に案内されて前記トラバースユニット３１が昇降動を行う構成としている。このＤＶＤディスク装置３０にＤＶＤディスク２０が挿入されるまでのトラバースユニット３１はＤＶＤディスク２０を挿入するときにターンテーブル３４が障害とならないように図３、図４に示すようにＤＶＤディスク２０の挿入方向手前側が傾斜した状態である。ここにＤＶＤディスク２０を挿入すると、図１に示す前記第１ベース４１に配置した回動ローラ４６、４７と第２ベース５０に配置した固定ローラ５１、５２が押し広げられ、第１ベース４１に配置した駆動モータ４２の回転駆動力によって回動する前記回動ローラ４６、４７と第２ベース５０に配置した固定ローラ５１、５２によってＤＶＤディスク２０が挟持されてＤＶＤディスク装置３０内に搬送され、アーム先端７３と第２回動ローラ４７と第２固定ローラ５２の３点でＤＶＤディスク２０は位置決めされる。続いて搬送された前記ＤＶＤディスク２０によってアーム７０が後方に押し出されてカムアーム７２が係合するカム溝連結部６５がスライダ６０をディスク搬入方向に引き込んで前記スライダ６０に形成されたラックギア６１、６２の何れかと第１ベース４１で駆動モータ４２の回転駆動力により回転する第１ギア４８とが噛合する。これにより前記スライダ６０がディスク搬入方向に摺動し該スライダ６０に形成した第３カム溝６６と嵌合する突起部３２により前記トラバースユニット３１が前記緩衝材３５を支点として上昇動作を行い、このトラバースユニット３１を水平状態にしてＤＶＤディスク２０をターンテーブル３４に載置させることが出来る。続いて、前記スライダ６０の摺動により第１カム溝６３又は第２カム溝６４と係合するカムアーム７２を後方に押し出すことによりアーム先端７３を前記ＤＶＤディスク２０の外周縁２１から離反させることが出来る。また、前記スライダ６０がＤＶＤディスク２０の搬入方向へスライドする動作に連動してＤＶＤディスク２０を挟持する回動ローラ４６、４７と固定ローラ５１、５２とを前記第１ラックギア６１又は第２ラックギア６２の傾斜に沿って移動させることによりＤＶＤディスク２０から離反させることが出来るので、これら連動する動作によって前記ＤＶＤディスク２０は図５、図６に示すターンテーブル３４に回転可能に載置させることが出来る。
【００２８】
次に図７により、８センチのＤＶＤディスクをディスク出入口に挿入する際の動作過程について説明する。８センチディスク２０ａのディスク外周縁２１は第１回動ローラ４６と第１固定ローラ５１に接触し、これから該ディクス２０ａの挿入動作により前記第１回動ローラ４６と第１固定ローラ５１の間隔が押し広げられようとしている状態である。このときの第１ベース４１と第２ベース５０は第１スプリング５５によって互いに近づく方向に付勢された状態であり、第１ベース４１に支持された駆動モータ４２は回転駆動を開始していない。また、前記第１ベース４１に支持された第１ギア４８も前記スライダ６０に形成されたラックギア６１、６２の何れとも噛合はしていない。また、アーム７０には８センチディスク２０ａと１２センチディスク２０ｂのディスク外周縁２１を押圧可能とするために第２スプリング８０により内側に向かってバネ性を付勢されており、アーム先端７３は８センチディスク２０ａのディスク外径の内径側に位置している。
【００２９】
続いて図８により、挿入された８センチディスクにより回動ローラと固定ローラの間隔が押し広げられて搬送を開始する動作過程について説明する。図８は図７に示した８センチディスク２０ａが挿入動作によって装置内に向かって少し押し込まれた状態であり、前記ディスク２０ａの外周縁２１と当接する第１回動ローラ４６と第１固定ローラ５１の間隔は押し広げられている。これにより、前記回動ローラ４６を支持する第１ベース４１に形成した第３ラックギア４９と固定ローラ５１を支持する第２ベース５０に形成した第４ラックギア５３はピニオンギア４０を中心にディスクの外径方向に押し広げられ、第１ベース４１により支持された駆動モータ４２の回転駆動は開始している。これにより、中継ギア４４や第２ギア４５により駆動力が伝達されて前記第１回動ローラ４６と第２回動ローラ４７、及び第１ギア４８も回転駆動を開始していると共に前記第１スプリングの付勢によりこの８センチディスク２０ａは挟持されている。前記８センチディスク２０ａは第１固定ローラ５１を支点として第１回動ローラ４６の回転駆動により転動して前記ＤＶＤディスク装置３０内部へ前記ディスク２０ａを搬送し、第２回動ローラ４７と第２固定ローラ５２とに接触し、該第２固定ローラ５２を支点として第２回動ローラ４７の回転駆動により転動して更に前記ＤＶＤ装置３０内部へ前記ディスク２０ａを搬送することが出来る。この時点においては、前記アーム７０は図７で説明した位置のままであり、前記第１ギア４８は第１及び第２ラックギア６１、６２の何れにも噛合いをしていない状態である。
【００３０】
次に図９により、前記８センチディスクが回動ローラと固定ローラによりディスク装着部に位置決めされる前で、アームがディスクに当接し移動を開始する直前の動作過程について説明する。図９の段階では前記８センチディスク２０ａがアーム先端７３と接触しているが、まだアーム７０を押し出してはいない状態である。この状態において前記ディスク２０ａは前記第２回動ローラ４７と第２固定ローラ５２によって挟持されており、後方から前記アーム先端７３が該ディスク２０ａの外周縁２１に当接して支持している。この時点においては、前記アーム７０は図７で説明した位置のままであり、前記第１ギア４８は第１及び第２ラックギア６１、６２の何れにも噛合いをしていない状態である。
【００３１】
続いて図１０により、８センチディスクが回動ローラと固定ローラとアームによって位置決めされ、後退したアームによってラックが噛合し始めた動作過程について説明する。図１０に示す８センチディスク２０ａは前記アーム先端７３が当接し前記第２回動ローラ４７と第２固定ローラ５２との３点により記録又は再生を行なうディスク装着部に位置決めされて図５に示すターンテーブル３４に載置されると共に回転可能なクランパー（図示略）により挟持されている。また、前記アーム先端７３が前記位置決めされた８センチディスク２０ａの外周縁２１により図９に示すアーム７０の位置よりも後方に押し出されてカムアーム７２が係合するカム溝連結部６５がスライダ６０をディスク搬入方向に引き込んで前記スライダ６０に形成された第１ラックギア６１が第１ベース４１で駆動モータ４２の回転駆動を伝達する第１ギア４８と噛合する。この時点では駆動モータ４２が回転駆動をしており、未だ第１回動ローラ４６も第２回動ローラ４７も回転している。同様に第１ギア４８も回転しており、この８センチディスク２０ａの装着により前記第１ギア４８が第１ラックギア６１と噛合してスライダ６０をディスク搬送方向へと移動する動作を開始する。
【００３２】
次に図１１により、８センチディスクに対してアームと回動ローラと固定ローラがスライダの移動により離反する動作過程について説明する。図１１において８センチディスク２０ａは、図５に示すターンテーブル３４に既に載置されている。図１０で第１ギア４８と噛合した第１ラックギア６１がディスク搬入方向に沿って内側に傾斜していることにより、前記第１ギア４８が噛み合って回転することにより、前記第１ギア４８と回動ローラ４６、４７などを支持する第１ベース４１が前記第１ラックギア６１の傾斜によって外側へと広がる動作を開始する。この第１ベース４１と互いに離反方向に連動して移動する第２ベース５０に支持された固定ローラ５１、５２も外側へと移動して前記８センチディスク２０ａを支持していた第２回動ローラ４７と第２固定ローラ５２は前記ディスク２０ａの外周縁２１から離反移動を行なう。また、前記アーム７０も前記第１ラックギア６１がディスク搬入方向に移動することにより第２カム溝６４と係合するカムアーム７２を押し出すことにより前記アーム７０は前記ディスク２０ａの外周縁２１から離反することが出来る。これにより、８センチディスク２０ａを挟持して搬送し前記ディスク２０ａを位置決めした後は、前記ディスク２０ａを支持していた第２回動ローラ４７、第２固定ローラ５２、アーム先端７３が該ディスク２０ａから離反するので、これら連動する動作によって前記ディスク２０ａを図５に示すターンテーブル３４に回転可能に載置させることが出来る。
【実施例２】
【００３３】
続いて図１２により、前述の実施例１と同一のＤＶＤディスク装置において、１２センチのＤＶＤディスクをディスク出入口に挿入する際の動作過程について説明する。１２センチディスク２０ｂのディスク外周縁２１は第１回動ローラ４６と第１固定ローラ５１に接触し、これから該ディクス２０ｂの挿入動作により前記第１回動ローラ４６と第１固定ローラ５１の間隔が押し広げられようとしている状態である。このときの第１ベース４１と第２ベース５０は第１スプリング５５によって互いに近づく方向に付勢された状態にあり、第１ベース４１に支持された駆動モータ４２は回転駆動を開始していない。また、前記第１ベース４１に支持された第１ギア４８も前記スライダ６０に形成されたラックギア６１、６２の何れとも噛合はしていない。また、アーム７０には１２センチディスク２０ｂのディスク外周縁２１を押圧可能とするために第２スプリング８０により内側に向かってバネ性を付勢されており、アーム先端７３は１２センチディスク２０ｂのディスク外径の内径側に位置している。
【００３４】
次に図１３により、挿入された１２センチディスクにより回動ローラと固定ローラの間隔が押し広げられて搬送を開始する動作過程について説明する。図１３は図１２に示した１２センチディスク２０ｂの挿入動作によってＤＶＤディスク装置３０内に向かって少し押し込まれた状態であり、前記ディスク２０ｂの外周縁２１と当接する第１回動ローラ４６と第１固定ローラ５１の間隔は押し広げられている。これにより、前記回動ローラ４６を支持する第１ベース４１に形成した第３ラックギア４９と固定ローラ５１を支持する第２ベース５０に形成した第４ラックギア５３はピニオンギア４０を中心に左右に押し広げられ、第１ベース４１により支持された駆動モータ４２の回転駆動は開始している。これにより、中継ギア４４や第２ギア４５により駆動力が伝達されて前記第１回動ローラ４６と第２回動ローラ４７、及び第１ギア４８も回転駆動を開始していると共に前記第１スプリング５５の付勢によりこの１２センチディスク２０ｂは挟持されている。前記１２センチディスク２０ｂは第１固定ローラ５１を支点として第１回動ローラ４６の回転駆動により転動して前記ＤＶＤディスク装置３０内部へ前記ディスク２０ｂを搬送し、第２回動ローラ４７と第２固定ローラ５２とに接触し、該第２固定ローラ５２を支点として第２回動ローラ４７の回転駆動により転動して更に前記ＤＶＤディスク装置３０内部へ前記ディスク２０ｂを搬送することが出来る。この時点においては、前記アーム７０は図１２で説明した位置のままであり、前記第１ギア４８は第１及び第２ラックギア６１、６２の何れにも噛合いをしていない状態である。
【００３５】
続いて図１４により、１２センチディスクが回動ローラと固定ローラによりディスク装着部に位置決めされる前で、アームがディスクに当接し移動を開始する直前の動作過程について説明する。図１４の段階では前記１２センチディスク２０ｂがアーム先端７３と接触しているが、まだアーム７０を押し出してはいない状態である。この状態において前記ディスク２０ｂは前記第２回動ローラ４７と第２固定ローラ５２によって挟持されており、後方から前記アーム先端７３が該ディスク２０ｂの外周縁２１に当接して支持している。この時点においては、前記アーム７０は図７で説明した位置のままであり、前記第１ギア４８は第１及び第２ラックギア６１、６２の何れにも噛合いをしていない状態である。
【００３６】
次に図１５により、１２センチディスクが回動ローラと固定ローラとアームによって位置決めされ、後退したアームによってラックが噛合し始める動作過程について説明する。図１５に示す１２センチディスク２０ｂは前記アーム先端７３が当接し前記第２回動ローラ４７と第２固定ローラ５２との３点により記録又は再生を行なうディスク装着部に位置決めされて図５に示すターンテーブル３４に載置されると共に回転可能なクランパー（図示略）により挟持されている。また、前記アーム先端７３が前記位置決めされた１２センチディスク２０ｂの外周縁２１により図１４に示すアーム７０の位置よりも後方に押し出されてカムアーム７２が係合するカム溝連結部６５がスライダ６０をディスク搬入方向に引き込んで前記スライダ６０に形成された第２ラックギア６２が第１ベース４１で駆動モータ４２の回転駆動を伝達する第１ギア４８と噛合する。この時点では駆動モータ４２が回転駆動をしており、未だ第１回動ローラ４６も第２回動ローラ４７も回転している。同様に第１ギア４８も回転しており、この１２センチディスク２０ｂの装着により前記第１ギア４８が第２ラックギア６２と噛合してスライダ６０をディスク搬送方向へと移動する動作を開始する。
【００３７】
続いて図１６により、１２センチディスクに対してアームと回動ローラと固定ローラがスライダの移動により離反する動作過程について説明する。図１６において１２センチディスク２０ｂは、図５に示すターンテーブル３４に既に載置されている。図１５で第１ギア４８と噛合した第２ラックギア６２がディスク搬入方向に沿って内側に傾斜していることにより、前記第１ギア４８が噛み合って回転することにより、前記第１ギア４８と回動ローラ４６、４７などを支持する第１ベース４１が前記第２ラックギア６２の傾斜によって外側へと広がる動作を開始する。この第１ベース４１と互いに離反方向に連動して移動する第２ベース５０に支持された固定ローラ５１、５２も外側へと移動して前記１２センチディスク２０ｂを支持していた第２回動ローラ４７と第２固定ローラ５２は前記ディスク２０ｂの外周縁２１から離反移動を行なう。また、前記アーム７０も前記第２ラックギア６２がディスク搬入方向に移動することにより第１カム溝６３と係合するカムアーム７２を押し出すことにより前記アーム７０は前記ディスク２０ｂの外周縁２１から離反することが出来る。これにより、１２センチディスク２０ｂを挟持して搬送し位置決めした後は、前記ディスク２０ｂを支持していた第２回動ローラ４７、第２固定ローラ５２、アーム先端７３が該ディスク２０ｂから離反するので、これら連動する動作によって前記ディスク２０ｂは図５に示すターンテーブル３４に回転可能に載置させることが出来る。
【００３８】
以上のように本実施例におけるＤＶＤディスク装置３０によれば、ディスク状記録媒体であるＤＶＤディスク２０をその直径方向に挟持する搬送ローラを構成する一対の回動ローラ４６、４７及び固定ローラ５１、５２が配置され、前記回動ローラ４６、４７を回転駆動する駆動モータ４２とを有し、この駆動モータ４２によって前記回動ローラ４６、４７を回転させてＤＶＤディスク２０をディスク出入口１５とディスク装着部との間にて移送すると共に、そのディスク装着部に搬送されたＤＶＤディスク２０の外周縁２１と接触して前記ディスク装着部に前記ＤＶＤディスク２０を位置決めするアーム７０を回動軸７１により回動可能に枢着したＤＶＤディスク装置３０を備えたテレビ１０であって、前記回動ローラ４６、４７と駆動モータ４２による駆動手段とを支持する第１ベース４１と、前記固定ローラ５１、５２を支持する第２ベース５０を設けると共に、前記アーム７０を駆動させるスライダ６０を設け、このスライダ６０に設けた第１ラックギア６１及び第２ラックギア６２と噛合する第１ギア４８と、前記回動ローラ４６、４７と一体的に回転する第２ギア４５と、これら第１ギア４８及び第２ギア４５と前記駆動モータ４２の出力軸に設けたウオームギアである駆動ギア４３とに噛合する多段に形成した中継ギア４４を前記第１ベース４１に軸支することによって１つの駆動モータ４２によって前記ＤＶＤディスク２０を搬送する回動ローラ４６、４７の駆動とスライダ６０の駆動を兼用することが出来、前記第１ベース４１に配置した1つの駆動モータ４２と、該駆動モータ４２の駆動力を中継する中継ギア４４と、該中継ギア４４と噛合する第２ギア４５とによって前記回動ローラ４６、４７を回転させ、前記第２ベース５０に支持した固定ローラ５１、５２とによって前記ＤＶＤディスク２０を挟持しながらＤＶＤディスク装置３０内に搬送することが出来ると共に、前記第１ベース４１に配置した1つの駆動モータ４２による駆動力を前記第２ギア４５と噛合する第１ギア４８が前記スライダ６０に設けた第１ラックギア６１又は第２ラックギア６２と噛合することにより該スライダ６０を駆動させることが出来る。これにより、兼用する前記１つの駆動モータ４２により、前記ＤＶＤディスク２０の搬送と、前記スライダ６０により前記アーム７０を駆動させて前記ＤＶＤディスク２０をディスク載置部にて位置決めさせることが出来る。
【００３９】
また、前記８センチディスク２０ａ及び１２センチディスク２０ｂと異なる径サイズに対応して前記スライダ６０に第１ラックギア６１及び第２ラックギア６２が並設されると共に、前記第１ベース４１と前記第２ベース５０は、前記ディスク出入口１５からのＤＶＤディスク２０ａ、２０ｂの挿入動作に連動して互い離反する方向に移動させる第１ベース４１に形成した第３ラックギア４９と、第２ベース５０に形成した第４ラックギア５３と、前記第３ラックギア４９及び第４ラックギア５３と噛合するピニオンギア４０を設けると共に第１ベース４１及び第２ベース５０間には、これら第１ベース４１及び第２ベース５０が互いに近づく方向に付勢する第１スプリング５５を設け、この第１スプリング５５により前記回動ローラ４６、４７と固定ローラ５１、５２とで前記ＤＶＤディスク２０を弾性的に挟持するように構成したことにより、前記８センチディスク２０ａ及び１２センチディスク２０ｂと異なる径サイズのＤＶＤディスク２０がディスク出入口１５から挿入されると、前記第１ベース４１に支持した回動ローラ４６、４７と前記第２ベース５０に支持した固定ローラ５１、５２とは、互いに離反する方向に移動させるラックとピニオン機構により、前記異なる径サイズの８センチディスク２０ａ及び１２センチディスク２０ｂに対応するまで広がり、且つ互いに近づく方向に付勢した前記第１スプリング５５による付勢部材によって前記ＤＶＤディスク２０ａ、２０ｂを前記回動ローラ４６、４７と固定ローラ５１、５２が弾性的に挟持することが出来るので、前記８センチディスク２０ａ及び１２センチディスク２０ｂと異なる径サイズのＤＶＤディスク２０ａ、２０ｂを安定して挟持し搬送することが出来る。
【００４０】
また、アーム７０にカムアーム７２を形成すると共に、前記スライダ６０には前記カムアーム７２と係合するカム溝６３、６４を形成し、回動ローラ４６、４７の回転による前記ＤＶＤディスク２０の搬送動作に連動して該ＤＶＤディスク２０が前記アーム７０の先端７３に接触すると共にアーム７０が移動を開始し、ＤＶＤディスク２０が図１０、１５に示すディスクが位置決めされた位置であるディスク装着部まで搬送されると、前記カムアーム７３とカム溝６３、６４との係合によって前記第１ラックギア６１及び第２ラックギア６２の何れか一方と前記第１ギア４８とが噛み合いを開始させるように構成すると共に、前記駆動モータ４２によって前記第１ラックギア６１及び第２ラックギア６２の何れか一方と前記第１ギア４８との噛み合いによって前記スライダ６０をＤＶＤディスク２０の搬入方向にスライドさせることによってカム溝６３、６４と係合するカムアーム７２によって前記アーム７０をＤＶＤディスク２０から離反する方向に回転駆動させると共に、前記第１ラックギア６１及び第２のラックギア６２は前記ＤＶＤディスク２０の搬入方向に沿って内側に傾斜するようにして前記スライダ６０のＤＶＤディスク２０の搬入方向へのスライド動作に連動してＤＶＤディスク２０を挟持する回動ローラ４６、４７と固定ローラ５１、５２とが前記第１ラックギア６１又は第２ラックギア６２の傾斜に沿ってＤＶＤディスク２０から離反する方向に移動するように構成したことにより、アーム７０に形成したカムアーム７２と、スライダ６０に形成したカム溝６３、６４を係合させ、回動ローラ４６、４７の回転による前記ＤＶＤディスク２０の搬送動作に連動して該ＤＶＤディスク２０が前記アーム７０に接触し、更にＤＶＤディスク２０が前記ディスク装着部まで搬送される。これにより前記カムアーム７２とカム溝６３、６４との係合によって前記第１ラックギア６１及び第２ラックギア６２の何れか一方と前記第１ギア４８との噛み合いを開始させ、前記駆動モータ４２により前記スライダ６０をＤＶＤディスク２０の搬入方向にスライドさせることによってカム溝６３、６４と係合するカムアーム７２によって前記アーム７０を回転駆動させてＤＶＤディスク２０から離反させることが出来る。また、前記第１ラックギア６１又は第２ラックギア６２は前記ＤＶＤディスク２０の搬入方向に沿って内側に傾斜するようにして前記スライダ６０のＤＶＤディスク２０の搬入方向へのスライド動作に連動してＤＶＤディスク２０を挟持する回動ローラ４６、４７と固定ローラ５１、５２とを前記第１ラックギア６１又は第２ラックギア６２の傾斜に沿って移動させることによりＤＶＤディスク２０から離反させることが出来るので、該ＤＶＤディスク２０を前記ディスク装着部に位置決めした後は前記アーム７０と回動ローラ４６、４７と固定ローラ５１、５２が前記ＤＶＤディスク２０から離反するので、前記ＤＶＤディスク装置３０のディスク装着部において前記ＤＶＤディスク２０を回転させながら情報の記録又は再生を行なうことが出来る。
【００４１】
前記カム溝６３、６４は、カムアーム７２を案内する第１カム溝６３を内側に、該第１カム溝６３と連結する第２カム溝６４を第１カム溝６３の外側に形成して前記第１カム溝６３と第２カム溝６４を略平行に配置し、前記アーム７０にはＤＶＤディスク２０の外周縁２１を第２スプリング８０により押圧可能にバネ性を付勢したことにより、前記第１カム溝６３と第２カム溝６４により前記異なる径サイズのＤＶＤディスク２０ａ、２０ｂを位置決めすることが出来ると共に、前記アーム先端７３は弾性的に前記ＤＶＤディスク２０の外周縁２１に接触させることが出来るので前記異なる径サイズのＤＶＤディスク２０ａ、２０ｂを安定して位置決めして搬送することが出来る。更に本発明によれば簡単なメカ機構により異なる径サイズのＤＶＤディスク２０ａ、２０ｂに対応することが出来るので、ＤＶＤディスク２０の外周縁２１を回動ローラ４６、４７と固定ローラ５１、５２が挟んで径サイズの異なるＤＶＤディスク２０ａ、２０ｂを搬送させるスロットイン方式のＤＶＤディスク装置３０においては、１つの駆動モータ４２を用いて簡単なメカ構造により、前記８センチディスク２０ａと１２センチディスク２０ｂを搬送して正確に位置決めすることが出来るので、従来のように複数の駆動モータや位置センサを用いる必要がなく、構造を簡略化することによりコストを低減させることが出来るので、このＤＶＤディスク装置３０を内蔵したテレビ１０もコストを低減させることが出来る。
【００４２】
以上、本発明の実施例について詳述したが、本発明は、前記実施例に限定されるものではなく、本発明の要旨の範囲内で種々の変形実施が可能である。例えば、ディスク装置を備えた電子機器はＤＶＤディスク装置３０を内蔵したテレビ１０に限らず単独で機能するディスク記録及び／又は再生機器でもよく、またディスク状記録媒体はＤＶＤディスク２０に限らずＣＤディスクやＭＤディスクなどディスク状の記録媒体を挿入して情報の記録又は再生を行なうことが可能な状態であればよく、また、スライダ６０に形成したカム溝６３、６４やアーム７０に設けたカムアーム７２などは設計や組立作業のし易さを配慮して形状や配置を変更するなど、適宜選定すればよい。
【図面の簡単な説明】
【００４３】
【図１】本発明の実施例１を示すテレビに内蔵されたＤＶＤディスクのローディング機構の概略構成を示す平面透視説明図である。
【図２】本発明におけるＤＶＤディスクのローディング機構の概略構成を示す正面側断面説明図である。
【図３】本発明におけるトラバースユニットが傾斜状態にあるＤＶＤディスク装置を示す平面透視説明図である。
【図４】本発明におけるトラバースユニットが傾斜状態にあるＤＶＤディスク装置を示す正面側透視説明図である。
【図５】本発明におけるトラバースユニットが水平状態にあるＤＶＤディスク装置を示す平面透視説明図である。
【図６】本発明におけるトラバースユニットが水平状態にあるＤＶＤディスク装置を示す正面側透視説明図である。
【図７】本発明における８センチのＤＶＤディスクをディスク出入口に挿入する際の動作過程を示す平面透視説明図である。
【図８】本発明における挿入された８センチのＤＶＤディスクにより回動ローラと固定ローラの間隔が押し広げられて搬送を開始する動作過程を示す平面透視説明図である。
【図９】本発明における８センチのＤＶＤディスクが回動ローラと固定ローラによりディスク装着部に位置決めされる前の動作過程を示す平面透視説明図である。
【図１０】本発明における８センチのＤＶＤディスクが回動ローラと固定ローラとアームによって位置決めされる動作過程を示す平面透視説明図である。
【図１１】本発明における８センチのＤＶＤディスクに対してアームと回動ローラと固定ローラがスライダの移動により離反する動作過程を示す平面透視説明図である。
【図１２】本発明の実施例２を示す、同一装置において１２センチのＤＶＤディスクをディスク出入口に挿入する動作過程を示す平面透視説明図である。
【図１３】本発明における挿入された１２センチのＤＶＤディスクにより回動ローラと固定ローラの間隔が押し広げられて搬送を開始する動作過程を示す平面透視説明図である。
【図１４】本発明における１２センチのＤＶＤディスクが回動ローラと固定ローラによりディスク装着部に位置決めされる前の動作過程を示す平面透視説明図である。
【図１５】本発明における１２センチのＤＶＤディスクが回動ローラと固定ローラとアームによって位置決めされる動作過程を示す平面透視説明図である。
【図１６】本発明における８センチのＤＶＤディスクに対してアームと回動ローラと固定ローラがスライダの移動により離反する動作過程を示す平面透視説明図である。
【図１７】本発明におけるＤＶＤディスク装置を内蔵したテレビを示す斜視説明図である。
【符号の説明】
【００４４】
１０        ＤＶＤ装置を内蔵したテレビ
１５        ディスク出入口
２０        ＤＶＤディスク
２０ａ      ８センチディスク
２０ｂ      １２センチディスク
２１        ディスク外周縁
３０        ＤＶＤディスク装置
４０        ピニオンギア
４１        第１ベース
４２        駆動モータ
４３        駆動ギア
４４        中継ギア
４５        第２ギア
４６        第１回動ローラ（搬送ローラ）
４７        第２回動ローラ（搬送ローラ）
４８        第１ギア
４９        第３ラックギア
５０        第２ベース
５１        第１固定ローラ（搬送ローラ）
５２        第２固定ローラ（搬送ローラ）
５３        第４ラックギア
５５        第１スプリング
６０        スライダ
６１        第１ラックギア
６２        第２ラックギア
６３        第１カム溝
６４        第２カム溝
６５        カム連結部
７０        アーム
７１        回動軸
７２        カムアーム
７３        アーム先端
８０        第２スプリング
【図１】
2006185565.tif 000003
【図２】
2006185565.tif 000004
【図３】
2006185565.tif 000005
【図４】
2006185565.tif 000006
【図５】
2006185565.tif 000007
【図６】
2006185565.tif 000008
【図７】
2006185565.tif 000009
【図８】
2006185565.tif 000010
【図９】
2006185565.tif 000011
【図１０】
2006185565.tif 000012
【図１１】
2006185565.tif 000013
【図１２】
2006185565.tif 000014
【図１３】
2006185565.tif 000015
【図１４】
2006185565.tif 000016
【図１５】
2006185565.tif 000017
【図１６】
2006185565.tif 000018
【図１７】
2006185565.tif 000019